(57)【要約】【課題】角部の張り出しを抑えて包装箱の破損を防ぎ又は開口部の形成を回避して切抜き片が製品や機械に残ることを防止可能な内設ボードを提供する。【解決手段】内設ボード３は、物品を上面に載置させる載置部１７を有する設置ボードと、前記物品を載置部１７に固定する押えフィルムとを備え、前記設置ボードは、載置部１７を挟んで対向する一対の側端部を折り曲げて高さを形成する立脚部と前記立脚部から更に折れ曲がる底部とを形成する少なくとも２本の第１の折り曲げ線と、前記一対の側端部に交差し、載置部１７の上面側に立ち上げられる一対の立上端部１６，１６を形成する第２の折り曲げ線２１とを有し、前記立脚部は、第２の折り曲げ線２１，２１間の中央部分で一定幅に形成された矩形部と、前記矩形部の両端からそれぞれ第２の折り曲げ線２１，２１に向かって徐々にすぼむ鋭角部とを有し、鋭角部の成す角度が、４度以上３０度未満に形成されている。【選択図】図１
2019127266.tif 000002
【特許請求の範囲】
【請求項１】
物品を上面に載置させる載置部を有する設置ボードと、前記物品を前記載置部に固定する押えフィルムとを備え、
前記設置ボードは、前記載置部を挟んで対向する一対の側端部を折り曲げて高さを形成する立脚部と前記立脚部から更に折れ曲がる底部とを形成する少なくとも２本の第１の折り曲げ線と、
前記一対の側端部に交差し、前記載置部の上面側に立ち上げられる一対の立上端部を形成する第２の折り曲げ線とを有し、
前記立脚部は、前記第２の折り曲げ線間の中央部分で一定幅に形成された矩形部と、前記矩形部の両端からそれぞれ第２の折り曲げ線に向かって徐々にすぼむ鋭角部とを有し、
前記鋭角部の成す角度が、４度以上３０度以下である外箱内に設置される内設ボード。
【請求項２】
前記矩形部の長手方向の寸法は、前記立脚部の長手方向の全体の寸法の３分の１以上に設定されている請求項１に記載の内設ボード。
【請求項３】
前記鋭角部は台形である請求項１又は２に記載の内設ボード。
【請求項４】
前記立上端部に、前記第１の折り曲げ線の両端に連続して延びる第３の折り曲げ線が２本形成され、
前記第３の折り曲げ線の成す角度が４度以上１０度以下である請求項１から３のいずれか一項に記載の内設ボード。
【請求項５】
前記第１の折り曲げ線のうち前記載置部と前記立脚部との間を折り曲げる上側折り曲げ線及び前記第１の折り曲げ線のうち前記立脚部と前記底部との間を折り曲げる下側折り曲げ線のそれぞれには、前記矩形部を挟み込む互いに対向する位置に、前記立脚部の最大幅よりも前記矩形部の幅寸法を僅かに小さくするように張り出したスリットが形成されている請求項１から４のいずれか一項に記載の内設ボード。
【発明の詳細な説明】
【技術分野】
【０００１】
本発明は、内設ボードに関する。
【背景技術】
【０００２】
物品を運送する際に物品が包装箱内で移動して損壊等することを防止するための部材として、ベースボードに押えシートを貼着した内設ボードが開示されている（例えば、下記特許文献１）。
特許文献１に記載の物品運送用梱包具は、ベースボードと、抑えシートとを有している。ベースボードは、物品搭載面と、立下り部と、立上り部と、支え部とに区画されている。物品搭載面は、梱包物品を搭載する面である。
立下り部は、折曲線によって区画された脚部分と、その先の底部分とからなっている。前記脚部分は、前記ベースボードの両端縁から下向きにそれぞれ折り返され、前記ベースボードの板面に直交させる部分であり、前記底部分は、前記ベースボードと平行に折曲される部分である。
前記脚部分の中央部分は、幅が広く、両端は折曲線を合流させることによって形成されて三角形をなし、その三角形の部分の鋭端が立ち上がり部分につながっている。
立上り部は、両端縁を一定の幅で上向きに折り返す部分である。抑えシートは、ベースボード上の物品の表面を覆い、立下り部の折り曲げにより、緊張して物品を定位置に保持させるようになっている。
前記脚部分の両端の前記三角形の部分は、立上り部分を上向きに折り返したときに両側方に張り出して押えシートをその張出し方向に牽引して緊張させるとともに、前記ベースボードの両側に緩衝用空間を形成する。また、前記三角形の部分を形成する折曲線の合流点には円形の開口が設けられており、立上り部分の折曲を容易にしている。
【先行技術文献】
【特許文献】
【０００３】
【特許文献１】特許第４４２９１９２号公報
【発明の概要】
【発明が解決しようとする課題】
【０００４】
上記従来の内設ボードは、三角形の円形開口部につながる２辺の成す角が約４０度と大きい角度に形成されているため、立下り部を脚部と底部分を形成するように折り曲げると、三角形の部分の張り出しが非常に大きくなる上に、張り出した先端が鋭く尖る。そうすると外箱を局所的に押圧して傷めてしまうことがある。この点については、上記従来の内設ボードは、張り出した三角形の先端の角部を含むように開口部を形成しているが、開口部を要する構成では、内設ボードの成形時に打ち抜いた紙片が製品に付着したり、成形機に詰まったりするという問題があった。
そこで、本発明は、高さを形成しても角部の尖った先端の張り出しを抑えて包装箱等の破損を防止でき、又は開口部の形成を回避して切抜き破片が製品や機械に残ることを防止可能な内設ボードを提供する。
【課題を解決するための手段】
【０００５】
本発明の内設ボードは、物品を上面に載置させる載置部を有する設置ボードと、前記物品を前記載置部に固定する押えフィルムとを備え、前記設置ボードは、前記載置部を挟んで対向する一対の側端部を折り曲げて高さを形成する立脚部と前記立脚部から更に折れ曲がった底部とを形成する少なくとも２本の第１の折り曲げ線と、前記一対の側端部に交差し、前記載置部の上面側に立ち上げられる一対の立上端部を形成する第２の折り曲げ線とを有し、前記立脚部は、前記第２の折り曲げ線間の中央部分で一定幅に形成された矩形部と、前記矩形部の両端からそれぞれ第２の折り曲げ線に向かって徐々にすぼむ鋭角部とを有し、前記鋭角部の成す角度が、４度以上３０度以下に形成されている。
この構成によれば、鋭角部の成す角度が４度以上３０度以下に形成されているため、内設ボードを第１の折り曲げ線及び第２の折り曲げ線で折り曲げた際に第１の折り曲げ線と第２の折り曲げ線との間に形成される角部の張り出しを小さく抑えることができる。
【０００６】
本発明の内設ボードの前記矩形部の長手方向の寸法は、前記立脚部の長手方向の全体の寸法の３分の１以上に設定されていてもよい。
この構成によれば、内設ボードを外箱に安定的に設置することができる。
【０００７】
本発明の内設ボードの前記鋭角部は台形であってもよい。
この構成によれば、設置ボードを第１の折り曲げ線において折り曲げやすくすることができる。
【０００８】
本発明の内設ボードの前記立上端部に、前記第１の折り曲げ線の両端に連続して延びる第３の折り曲げ線が２本形成され、前記第３の折り曲げ線の成す角度が４度以上１０度以下であってもよい。
この構成によれば、立上端部の両端を見た目に綺麗にかつ折り曲げやすくすることができる。
【０００９】
本発明の内設ボードの前記第１の折り曲げ線のうち前記載置部と前記立脚部との間を折り曲げる上側折り曲げ線及び前記第１の折り曲げ線のうち前記立脚部と前記底部との間を折り曲げる下側折り曲げ線のそれぞれには、前記矩形部を挟み込む互いに対向する位置に、前記立脚部の最大幅よりも前記矩形部の幅寸法を僅かに小さくするように張り出したスリットが形成されていてもよい。
この構成によれば、上側折り曲げ線及び下側折り曲げ線を折り曲げた際に、張り出した形状のスリットにより形成された端部が、スリット間に挟まれた壁部を挟み込むことにより、この壁部により載置部と底部との間を確実に支持することができる。
【発明の効果】
【００１０】
本発明の内設ボードは、設置ボードが捻じれる等して物品の載置の安定性を欠くことのないよう高さを設けても、載置部の角部における尖った先端の張り出しを抑えて外箱の破損を防止することができ、又は開口部の形成を回避して切抜き破片が製品や機械に残ることを防止できるという効果を奏する。
【図面の簡単な説明】
【００１１】
【図１】本発明の一実施形態に係る内設ボードを外箱に設置した状態を蓋部を開口して示した平面図である。
【図２】本発明の一実施形態に係る内設ボードを展開して示した平面図である。
【図３】本発明の一実施形態に係る内設ボードの展開した一部を拡大して示した平面図である。
【図４】本発明の一実施形態に係る内設ボードに物品を収納し、第１の折り曲げ線及び第２の折り曲げ線において折り曲げた状態を示す正面図である。
【図５】図４に示す内設ボードをＡ−Ａ線で矢視した断面図である。
【図６】図４に示す内設ボードをＢ−Ｂ線で矢視した一部断面図である。視図である。
【発明を実施するための形態】
【００１２】
以下、図面を参照して、本発明の内設ボード及び包装箱の各実施形態について説明する。なお、以下の説明で用いる図の各部分の寸法比は実際のものと同一とは限らず、適宜変更することができる。
【００１３】
図１に示すように、本発明の第１の実施形態の包装箱１は、外箱２と、外箱２の内部に設置される本実施形態の内設ボード３とを備えている。
図２に示すように、本発明の第１の実施形態の内設ボード３は、設置ボード４と、押えフィルム５とを備えている。  
【００１４】
図１に示すように、外箱２は、矩形の底面部６と底面部６の四辺から立ち上がる側面部７とを有している。本実施形態では、側面部７の上端開口部１０を開閉自在にする蓋部８を有しているが、側面部７の上端開口部１０を閉塞する手段としては蓋部８に限定されるものではなく、筒状に形成されたスリーブ等が用いられてもかまわない。また、蓋部８に連接している側面部７の両側に隣接する側面部７の上端縁には短フラップ９が連接されているとよい。
また、外箱２は、折り畳んで平坦にした状態で保管するための折り曲げ線（不図示）が形成されていてもよい。
【００１５】
図２に示すように、内設ボード３は、概略矩形に形成された設置ボード４と、可撓性を有する押えフィルム５とを備えている。
設置ボード４は、梱包対象となる物品（以下単に「物品」という）を載置し、押えフィルム５により物品を押えて梱包する板状部材である。
【００１６】
設置ボード４は、一対の側辺４ａ，４ａに沿って略帯状に形成された一対の側端部１５，１５と、側端部１５，１５に交差する方向に略帯状に延びる一対の立上端部１６，１６と、側端部１５，１５及び立上端部１６，１６に囲まれた物品の載置部１７とを有している。設置ボード４は、特に限定されないが、折り曲げ可能な程度に剛性がある紙製又は合成樹脂製等の素材により形成されている。
【００１７】
側端部１５は、載置部１７の端縁で裏面側に略９０度に折り曲げて高さを形成する立脚部１８と、立脚部１８の端縁から載置部１７の裏面側に対向するように折り曲げられる底部１９とを有している。
【００１８】
載置部１７と立脚部１８とを分ける端縁及び立脚部１８と底部１９とを分ける端縁は、第１の折り曲げ線２０を構成している。本明細書においては、載置部１７と立脚部１８とを分ける第１の折り曲げ線２０を、上側折り曲げ線２０ａとし、立脚部１８と底部１９とを分ける第１の折り曲げ線２０を、下側折り曲げ線２０ｂとする。
載置部１７と立上端部１６とを分ける端縁は、第２の折り曲げ線２１を構成している。
【００１９】
上側折り曲げ線２０ａは、一方の第２の折り曲げ線２１の両端２１ｅから所定の寸法を空けた位置から側辺４ａ，４ａ間の中心Ｌ１寄りに向かって仮想中央線２３Lに対して傾斜しつつ直線に延びた後、略水平に延びている。更に上側折り曲げ線２０ａは、側辺４ａに向かって仮想中央線２３Lに対して傾斜して直線に延び他方の第２の折り曲げ線２１の両端２１ｅから所定の寸法空けた位置まで形成されている。
【００２０】
下側折り曲げ線２０ｂは、上側折り曲げ線２０ａよりもやや側辺４ａ寄りの第２の折り曲げ線２１上の位置から側辺４ａに向かって仮想中央線２３Lに対して傾斜しつつ直線に延びた後、略水平に延びている。更に下側折り曲げ２０ｂは、側辺４ａ，４ａ間の中心Ｌ１寄りに向かって直線に傾斜して延び、上側折り曲げ線２０ａよりも側辺４ａ寄りの第２の折り曲げ線２１上の位置２１ｅまで形成されている。
【００２１】
図３に示すように、上側折り曲げ線２０ａと下側折り曲げ線２０ｂとは、第２の折り曲げ線２１上の位置から４度以上３０度以下の角度θ１で他方の側辺４ｂ（図２参照）に向かって拡開し、略一定の幅で略水平に延びた後、対向する第２の折り曲げ線２１（図２参照）に向かって４度以上３０度以下の角度θ１で側辺４ｂに向かってすぼんでいる。すなわち、図２に示すように、上側折り曲げ線２０ａ及び下側折り曲げ線２０ｂは、第２の折り曲げ線２１に向かってすぼむ２組の傾斜線２２，２２…と、２組の傾斜線２２，２２…の間で平行に延びる略水平な線２３，２３とにより形成されている。
【００２２】
第１の折り曲げ線２０上の略水平な線２３は全て略平行に形成され、図４に示すように、立脚部１８及び底部１９を設置ボード４の裏面側に折り曲げた際に略偏平に広がる載置部１７を形成できるようになっている。
以上の形状を有する上側折り曲げ線２０ａ及び下側折り曲げ線２０ｂにより、立脚部１８は、第２の折り曲げ線２１に向かって先鋭に形成された台形の鋭角部２６と、水平な線２３により鋭角部２６，２６間に形成された矩形部２７とを有している。
【００２３】
図２に示すように、１つの略水平な線２３上には、１つ以上のスリット２４が形成されている。スリット２４は、上側折り曲げ線２０ａ側には、傾斜線２２の端部又はごく僅かに載置部１７側の位置から傾斜線２２の端部を約１．５ｍｍ程度超えて矩形部２７の最大幅よりも幅寸法を狭めるように斜め又は直交する方向に延びた後、水平方向に延びている。その後スリット２４は、再び傾斜線２２の端部又はごく僅かに傾斜線２２の端部を超えて載置部１７側に食い込むように斜め又は直交する方向に延びている。
【００２４】
このように矩形部２７の内側に張り出すように形成されたスリット２４は、図１又は図４に示すように設置ボード３を上側折り曲げ線２０ａにおいて折り曲げた際に、矩形部２７の上方に張り出すつば部２５を形成している。本実施形態では、このようなスリット２４が傾斜線２２，２２間に間隔を空けて２つ形成されている。
【００２５】
一方、スリット２４は、下側折り曲げ線２０ｂ側には、傾斜線２２の端部又はそのごく僅かに側辺４ａ側の位置から傾斜線２２の端部を約１．５ｍｍ程度超えて矩形部２７の最大幅よりも幅寸法を狭めるように延びた後、水平方向に延びている。その後スリット２４は、再び傾斜線２２の端部又はごく僅かに傾斜線２２の端部を超えて底部１９に食い込むように側辺４ａ側に向かって斜め又は直交する方向に延びている。  
【００２６】
このように下側折り曲げ線２０ｂ側に形成されたスリット２４も、図１又は図４に示すように設置ボード３を下側折り曲げ線２０ｂにおいて折り曲げた際に、矩形部２７の下方方に張り出すつば部２５を形成している。本実施形態では、このようなスリット２４が傾斜線２２，２２間に間隔を空けて２つ形成されている。
また、上側折り曲げ線２０ａ上のスリット２４と下側折り曲げ線２０ｂ上のスリット２４とは矩形部２７を挟んで互いに対向する位置に形成されている。
【００２７】
図３に示すように、鋭角部２６を形成している傾斜線２２，２２同士の間の角度θ１は、４度以上３０度以下に形成されているとよいが、４度以上１６度以下であることがより好ましく、４度以上１２度以下であることが更に好ましい。更に各傾斜線２２，２２は、水平な線２３の間の仮想中心線２３Ｌに対して等しい傾斜角度すなわち仮想中心線２３Ｌとの間で等しい角度θ２を形成するように拡開していることが好ましい。具体的には、傾斜線２２，２２と仮想中心線２３Ｌとの成す角度θ２は２度以上１５度以下であることが好ましく、２度以上８度以下であることがより好ましく、２度以上６度以下であることが更に好ましい。
【００２８】
傾斜線２２，２２の角度θ１が上記範囲であれば、図３に示すように載置部１７を平面視した際の傾斜線２２，２２と仮想中央線２３Ｌに直交する仮想線２１Ｌとにより形成される角部Ｋを７５度以上８８度以下とし、図１に示すように張り出しを非常に小さくして先鋭な張り出しの形成を防止できるからである。また、傾斜線２２，２２の角度θ１が上記範囲であれば、図４に示すように、載置部１７の両端部に折り曲げ線を形成することなく僅かに湾曲する程度に止まり、全体としては概略偏平とすることができるからである。
【００２９】
矩形部２７の長手方向の寸法Ｙは、立脚部１８の長手方向に延びる全体の寸法の３分の１以上好ましくは５分の２以上に形成されている。
以上に説明した傾斜線２２，２２間の角度θ１、立脚部１８の長手方向に延びる全体の寸法における矩形部２７の長さの割合を考慮して、矩形部２７の幅寸法Ｐ１すなわち上側折り曲げ線２０ａを折り曲げて立脚部１８を立設した際の高さ寸法Ｐ１が設定される。
【００３０】
図３に示すように、底部１９の幅寸法Ｐ２は、底部１９が載置部１７の裏面に好適に折り曲げられるよう適宜設定されている。底部１９の側辺４ａ寄りの位置には、側辺４ａに沿って押えフィルム５を貼着させる帯状の貼着部２８が形成されている。
図５に示すように、立脚部１８と載置部１７の裏面側に折り曲げられる底部１９とは、載置部１７の下方に適度な緩衝空間Ｓ１を形成して載置部１７が上下に搖動した際のクッションの役割を果たすようになっている。
【００３１】
図２に示すように、第２の折り曲げ線２１は、側辺４ｂ，４ｂから所定の間隔を置いた側辺４ａ，４ａ上の位置（すなわち位置２１ｅ）から概略直線に延びて載置部１７と立上端部１６，１６とを分ける折り曲げ線である。詳細には、第２の折り曲げ線２１は、側辺４ａ上の位置２１ｅから鋭角部２６の先端に向かって僅かに内側に向かって傾斜し、上側折り曲げ線２０ａから対向する上側折り曲げ線２０ａに亘って側辺４ａ，４ａ間の中央で僅かに外側に張り出すように延び、その後対向する側辺４ａに向かって側辺４ｂ側に僅かに傾斜している。
【００３２】
第２の折り曲げ線２１上には、スリット３０及びミシン目３１が形成されている。
図３に示すように、スリット３０は、上側折り曲げ線２０ａ又は下側折り曲げ線２０ｂと第２の折り曲げ線２１との交点付近からこの交点と側辺４ａとの中間部に亘って形成され、スリット３０の先端に仮想中心線２３Ｌに略平行な切込み３０ａを有している。図２に示すように、第１の折り曲げ線２０，２０同士の間に設けられている第２の折り曲げ線２１上には短めのスリットにより形成されたミシン目３１が形成されている。
【００３３】
立上端部１６，１６には、鋭角部２６を形成する傾斜線２２，２２の先端に連続する第３の折り曲げ線３５が形成されている。
第３の折り曲げ線３５は、仮想中心線２３Ｌに対して等間隔で拡開する傾斜線である。図３に示すように、第３の折り曲げ線３５と仮想中心線２３Ｌとが成す角度θ３は、２度以上１０度以下、好ましくは２度以上８度以下、更に好ましくは２度以上５度以下の範囲で形成されている。
【００３４】
押えフィルム５は、可撓性及び伸縮性のある合成樹脂製のフィルムであり、透明又は半透明に形成されている。なお、押えフィルム５の透明性は必須ではない。
図２に示すように、押えフィルム５は、設置ボード４の第１の折り曲げ線２０方向には、第２の折り曲げ線２１，２１間に亘って配され、第２の折り曲げ線２１方向には、側辺４ａの近傍の端部をわずかに残して略全体を覆うように配されている。
【００３５】
押えフィルム５の設置ボード４に対する張りは、設置ボード４を展開した状態で押えフィルム５が略弛みない程度又は皺が殆ど出ない程度のごく僅かな弛みを残して開口しやすい程度となっている。
【００３６】
設置ボード４の第２の折り曲げ線２１方向に沿って配されている押えフィルム５の端部３ａは、設置ボード４に貼着されずに解放端となっている。一方、設置ボード４の第１の折り曲げ線２０方向に沿って配されている押えフィルム５の端部３ｂは、設置ボード４の側辺４ａの近傍に帯状に形成された貼着部２８に貼着され、閉じられている。
【００３７】
以上のようにして、内設ボード３が形成されている。図５に示すように、内設ボード３の設置ボード４と押えフィルム５との間には、物品の収納部４０が形成されている。
【００３８】
次に、内設ボード３に物品Ｘを梱包する方法、その作用及び機能、及び物品Ｘを梱包した内設ボード３を外箱２内に配置した際の作用及び機能について説明する。
【００３９】
内設ボード３に物品を梱包するには、図２に示す偏平な載置部１７を凹むように撓ませて、押えフィルム５を弛ませた状態にして、設置ボード４と押えフィルム５との間の開口部から収納部４０に物品を挿入する。
【００４０】
その上で、図５に示すように、上側折り曲げ線２０ａにおいて立脚部１８を載置部１７に対して約９０度に折り曲げ、更に下側折り曲げ線２０ｂにおいて底部１９を立脚部１８に対して約９０度に折り曲げ、載置部１７に対向配置させる。そうすると、貼着部２８において貼着された押えフィルム５が強く引っ張られて載置部１７上の物品Ｘを載置部１７の上面に押さえつける。
【００４１】
また、この際、図２に示すように、上側折り曲げ線２０ａ及び下側折り曲げ線２０ｂの双方に形成されたスリット２４が矩形部２７側に少し張り出すつば部２５を形成する。したがって、図１又は図６に示すように、設置ボード４を上側折り曲げ線２０ａ及び下側折り曲げ線２０ｂにおいて折り曲げた際に、つば部２５，２５が外方に張り出し、上下のスリット２４，２４間の矩形部２７が張り出したつば部２５，２５間に位置する。これにより、矩形部２７が張り出したつば部２５，２５間で載置部１７と底部１９とをしっかりと支持する。またスリット２４により上側折り曲げ線２０ａ及び下側折り曲げ線２０ｂにおいて折り曲げやすくなっている。
【００４２】
立上端部１６，１６は、図４に示すように、第２の折り曲げ線２１において載置部１７との上面側から視て谷折りにして起立させる。
この際、図２に示すように、第２の折り曲げ線２１には、スリット３０及びミシン目３１が形成されているため、図１に示すように、立上端部１６，１６の角部分４５を立上端部１６，１６の裏面に無理なく折り重ねられる。一方、第２の折り曲げ線２１，２１間は、その中央部分においてやや張り出すように形成されているため、立上端部１６，１６を手で支えることなく図４に示すように立ち上がらせておくことが難しい。
すなわち、第２の折り曲げ線２１は、立上端部１６，１６を押えていないと立上端部１６，１６を平坦に寝かせてしまう形状となっているため、図１に示すように立上端部１６，１６をしっかりと側面部７に当てた状態で、外箱２内に収納できる。
【００４３】
以上のようにして内設ボード３を外箱２内に収納すると、外箱２を省略して示した図５に示すように、立脚部１８と底部１９とにより載置部１７の下方に外力等による衝撃を少しでも緩和して物品Ｘを保護する緩衝空間Ｓ１を形成することができる。また、立上端部１６，１６によって外箱２の側面部７を押圧しつつ内設ボードを外箱２内に確実に収納することができる。
【００４４】
そして、図４に示すように、鋭角部２６の傾斜線２２，２２の成す角θ１が４度以上１５度以下に形成されているため、図１に示すように、傾斜線２２と仮想線２１Ｌとにより形成される角部Ｋの張り出しを小さく抑えることができる。したがって、内設ボード３は、角部Ｋによって外箱２に局所的に圧を掛け、外箱２を傷めることを防止することができるという効果を奏する。また、この構成により、内設ボード３は、従来の内設ボードのように開口部を形成する必要がなくなるため、内設ボード３や内設ボード３の製造装置に切り抜いた紙片を残してしまうことを回避することができるという効果を奏する。
【００４５】
また、内設ボード３は、角部Ｋに開口部を形成するという工程を省いて、製造をより容易かつ安価にすることができるという効果を奏する。第２の折り曲げ線２１上にスリット３０及びミシン目３１を形成して立上端部１６，１６を折り曲げやすくしていることによっても従来の内設ボードのような開口部を形成することを回避できるという効果を発揮している。
【００４６】
また、図４に示すように、矩形部２７の長手方向の寸法Ｙを立脚部１８の長手方向全体の寸法の３分の１以上に設定しているため、上側折り曲げ線２０ａ及び下側折り曲げ線２０ｂを折り曲げて載置部１７に高さを形成した際にもぐらつきを低減して安定的に内設ボード３を図１に示す外箱２等の底面部６に配することができるという効果を奏する。
また、載置部１７の上面に折り曲げ線を形成することなく、載置部１７が僅かに湾曲する程度に偏平に形成することができるため、載置部１７をより大きく使用することができるという効果を奏する。
【００４７】
また、図３に示すように、鋭角部２６の傾斜線２２，２２は、仮想中心線２３Ｌに対して均等に拡開しているため、傾斜線２２，２２が仮想中心線２３Ｌに対して異なる角度で拡開している場合に比べてクッション性を高められるという効果を奏する。また、傾斜線２２，２２は、仮想中心線２３Ｌに対して均等に拡開しているため、上側折り曲げ線２０ａ及び下側折り曲げ線２０ｂを折り曲げ易くすることができるという効果を奏する。
【００４８】
また、第３の折り曲げ線３５，３５は、仮想中心線２３Ｌに対して２度以上５度以下に形成されているため、図１に示すように、立上端部１６，１６の角片部４５を載置部１７の裏面側に折り曲げた際にできる隙間Ｓ２を可及的に小さくしておくことができる。これにより、載置部１７の上面を覆う無駄な隙間Ｓ２が大きくなることを効果的に防止し、物品の収納部４０を広く取ることができるという効果を奏する。
また、内設ボード３は、鋭角部２６が台形に形成されているため、第１の折り曲げ線２０において容易に折り曲げることができるという効果を奏する。
【００４９】
なお、上記実施形態において、立上端部１６，１６側の側辺は両端を切り欠いた形状に形成しているが、この側辺は直線状に形成されていてもよい。
また、図２に示すように、第２の折り曲げ線２１の中央には、指を掛けて内設ボードを外箱から容易に引出し可能とする開口部５０が形成されていてもよい。
また、矩形部２７の水平な線２３上に形成されるスリットは３つ以上形成されていてもよい。
【００５０】
また、鋭角部２６は、第２の折り曲げ線２１に向かって先鋭に形成された三角形であってもよい。
また、第３の折り曲げ線３５は、仮想中心線２３Ｌに平行な１本の直線により形成されていてもかまわない。
【符号の説明】
【００５１】
１    包装箱
２    外箱
３    内設ボード
４    設置ボード
５    押えフィルム
１５  側端部
１６  立上端部
１７  載置部
１８  立脚部
１９  底部
２０  第１の折り曲げ線
２０ａ  上側折り曲げ線
２０ｂ  下側折り曲げ線
２１  第２の折り曲げ線
２６  鋭角部
２７  矩形部
４０  収納部
３５  第３の折り曲げ線
Ｘ    物品
【図１】
2019127266.tif 000003
【図２】
2019127266.tif 000004
【図３】
2019127266.tif 000005
【図４】
2019127266.tif 000006
【図５】
2019127266.tif 000007
【図６】
2019127266.tif 000008